【事件の表示】
　特許第２７９８１１０号「分散型電界発光素子及びその製造方法」の請求項１ないし２に係る特許に対する特許異議の申立てについて、次のとおり決定する。
【結論】
　訂正を認める。
　特許第２７９８１１０号の請求項１ないし２に係る特許を維持する。
【理由】
〔１〕手続の経緯
　特許第２７９８１１０号の請求項１、２に係る発明は、平成５年６月１１日に特許出願され、平成１０年７月３日に特許権の設定登録がされ、平成１０年９月１７日に特許公報が発行され、その後、その特許について、異議申立人セイコープレシジョン株式会社より特許異議の申立てがされ、取消理由通知がされ、その指定期間内である平成１１年９月８日に訂正請求がされた後、再度の取消理由通知がされ、その指定期間内である平成１１年１０月４日に平成１１年９月８日付け訂正請求を取り下げると同時に、再度訂正請求がされたものである。
〔２〕訂正の適否についての判断
１．訂正の内容
　特許権者が求めている訂正の内容は、以下の（ア）〜（ク）のとおりである。
（ア）特許請求の範囲の請求項１に記載される「バインダ」を「ポリビニルアルコールから成るバインダ」と訂正し、「発光層と、この発光層の上で」を「発光層と、ポリビニルアルコールから成るバインダに透明導電材料を分散させて調製したインク状の透明電極材料から成り前記発光層の上で」と訂正する。
（イ）特許請求の範囲の請求項２に記載される「バインダ」を「ポリビニルアルコールから成るバインダ」と訂正し、「第２の電極」を「ポリビニルアルコールから成るバインダに透明導電材料を分散させて調製したインク状の透明電極材料を塗布や印刷等の手段により第２の電極」と訂正する。
（ウ）発明の詳細な説明中の段落【０００５】の「バインダ」を「ポリビニルアルコールから成るバインダ」と訂正し、「発光層と、この発光層の上で」を「発光層と、ポリビニルアルコールから成るバインダに透明導電材料を分散させて調製したインク状の透明電極材料から成り前記発光層の上で」と訂正する。
（エ）発明の詳細な説明中の段落【０００６】の「バインダ」を「ポリビニルアルコールから成るバインダ」と訂正し、「第２の電極」を「ポリビニルアルコールから成るバインダに透明導電材料を分散させて調製したインク状の透明電極材料を塗布や印刷等の手段により第２の電極」と訂正する。
（オ）発明の詳細な説明中の段落【０００７】の「バインダ」を「ポリビニルアルコールから成るバインダ」と訂正する。
（カ）発明の詳細な説明中の段落【００１０】の「３はポリビニルアルコール（ＰＶＡ）等の高誘電率有機樹脂粉末から成るバインダ」を「３は高誘電率有機樹脂粉末としてポリビニルアルコール（ＰＶＡ）から成るバインダ」と訂正する。
（キ）発明の詳細な説明中の段落【００１３】の「ポリビニルアルコール（ＰＶＡ）等の高誘電率有機樹脂粉末から成るバインダ」を「高誘電率有機樹脂粉末としてポリビニルアルコール（ＰＶＡ）から成るバインダ」と訂正する。
（ク）発明の詳細な説明中の段落【００２５】の「バインダ」を「ポリビニルアルコールから成るバインダ」と訂正し、「発光層と、この発光層の上で」を「発光層と、ポリビニルアルコールから成るバインダに透明導電材料を分散させて調製したインク状の透明電極材料から成り前記発光層の上で」と訂正し、「第２の電極を設ける工程」を「ポリビニルアルコールから成るバインダに透明導電材料を分散させて調製したインク状の透明電極材料を塗布や印刷等の手段により第２の電極を設ける工程」と訂正する。
２．訂正の目的の適否、新規事項の有無及び拡張・変更の存否
　上記（ア）の訂正事項に関連する記載として、願書に添付した明細書（以下、「特許明細書」という。）の発明の詳細な説明には、「ポリビニルアルコール（ＰＶＡ）等の高誘電率有機樹脂粉末から成るバインダ」及び「ポリビニルアルコール（ＰＶＡ）等の高誘電率有機樹脂粉末から成るバインダにインジュウム錫酸化物（ＩＴＯ）等の透明導電材料を分散させてインク状の透明電極材料を調製し、筆、ハケ、スプレー等の部材を用いて塗布や印刷等の手段により発光層２の上に厚さ数ミクロンに成膜乾燥させ」と記載されていることから、「ポリビニルアルコールから成るパインダ」及び「発光層と、ポリビニルアルコールから成るバインダに透明導電材料を分散させて調製したインク状の透明電極材料から成り前記発光層の上で」の構成は特許明細書に記載されているものと認められる。
　そうすると、上記（ア）の訂正は、特許明細書に記載された事項の範囲内において「バインダ」及び「第２電極」を限定したものといえるから、特許請求の範囲の減縮に該当するものであり、新規事項の追加に該当しない。
　上記（イ）の訂正事項に関連する記載として、特許明細書には、上記（ア）に記載のとおりの記載があることから、「ポリビニルアルコールから成るバインダ」及び「ポリビニルアルコールから成るバインダに透明導電材料を分散させて調製したインク状の透明電極材料を塗布や印刷等の手段により第２の電極」の構成は特許明細書に記載されているものと認める。
　そうすると、上記（イ）の訂正は特許明細書に記載された事項の範囲内において「バインダ」及び「第２電極」を限定したものといえるから、特許請求の範囲の減縮に該当するものであり、新規事項の追加に該当しない。
　上記（ウ）〜（ク）の訂正は、上記（ア）及び（イ）の訂正にともない明細書を整合するものであって、明りょうでない記載の釈明に該当し、新規事項の追加に該当しない。
　そして、上記いずれの訂正も実質上特許請求の範囲を拡張し、又は変更するものでない。
３．独立特許要件
（本件請求項１、２に係る発明）
　訂正明細書の請求項１、２に係る発明（以下、「本件請求項１に係る発明」、「本件請求項２係る発明」という。）は、その特許請求の範囲に記載された次のとおりのものである。
「【請求項１】
　第１の電極と、ポリビニルアルコールから成るバインダに蛍光体と必要に応じて染料あるいは顔料を分散させて使用者が好みに応じて発光色を得るように調製したインク状の発光層材料を前記使用者が好みに応じた形状に成膜するためのマスク部材を介して簡易印刷機で前記電極の上に印刷して形成した発光層と、ポリビニルアルコールから成るバインダに透明導電材料を分散させて調製したインク状の透明電極材料から成り前記発光層の上で前記電極と対向する第２の電極と、を有することを特徴とする分散型電界発光素子。
　【請求項２】
　ポリビニルアルコールから成るバインダに蛍光体と必要に応じて染料あるいは顔料を分散させて使用者が好みに応じた発光色を得るためのインク状の発光層材料を調製する工程と、前記発光層材料を前記使用者が好みに応じた形状に成膜するためのマスク部材を製作する工程と、このマスク部材を介して前記発光層材料を簡易印刷機で第１の電極の上に印刷して前記使用者が好みに応じた発光形状の発光層を得る工程と、この発光層の上で前記電極と対向するようにポリビニルアルコールから成るバインダに透明導電材料を分散させて調製したインク状の透明電極材料を塗布や印刷等の手段により第２の電極を設ける工程と、を少なくとも有することを特徴とする分散型電界発光素子の製造方法。」
（刊行物記載の発明）
　これに対して、当審が通知した取消理由で引用した刊行物１（実願平１−９１５３７号（実開平３−３２３９７号）のマイクロフイルム）には、エレクトロルミネッセンスに関して、「ＥＬＤで表示要素を形成する場合、通常は、共通の透明電極上にスクリーン印刷によりパターニングされた複数の蛍光体層を形成する方法が採用される」（第２頁第１１〜１４行）こと、「ベースフィルム５上の全面にはＩＴＯ等からなる透明電極６が形成されており」（第５頁第６、７行）こと、「前記透明電極６上には、例えば桃色に発光する蛍光体層８とオレンジ色に発光する蛍光体層９とがそれぞれスクリーン印刷により形成されて」（第５頁第１２〜１５行）いること、「これら蛍光体層８、９は、バインダ樹脂中に．蛍光体粉末と所定の蛍光体塗料や蛍光顔料を混入した」（第５頁第１７〜１９行）こと、「蛍光体層８、９とこれらの間に位置する前記非発光パターン７上には、高誘電率バインダ樹脂にセラミック誘電体粉末を混入した誘電体層１０が形成されており、この誘電体層１０上には各蛍光体層８、９に対応する対向電極１１が形成されている。これら対向電極１１は、例えばＡｇペーストをスクリーン印刷することにより形成されている。」（第６頁第２〜９行）ことが、図面とともに記載されている。
　同刊行物２（特開昭６０−１７０１９５号公報）には、「本発明は、発光層中の発光材料として同一の蛍光体及びこれと所望の色の染料との混合物を使用し、表示面が複数の色に色分けされてなるＥＬ表示装置である。」（第１頁右欄第６〜９行）こと、「ＥＬ素子（２）は、透明なポリエステルフィルム（４）、この上に真空蒸着により形成されたＩＴＯよりなる透明電極（５）、発光層（６）、Ａｌ箔の背面電極（７）より成る。この発光層（６）の表面が表示面になる。例えば第２図に示すように数字の１、２、３を表示する場合、１の部分の発光層（９）にはＺｎＳ：Ｃｕ、ＣｌとローダミンＢの混合物を含む発光材料、２の部分の発光層（１０）にはＺｎＳ：Ｃｕ、Ｃｌとパートラジンの混合物を含む発光材料、３の部分の発光層（１１）にはＺｎＳ：Ｃ１、Ｃｌのみを含む発光材料、その他の部分の発光層（１２）にはＺｎ：Ｃｕ、ＣｌとローダミンＳの混合物を含む発光材料を使用する。具体的にはＺｎＳ：Ｃｕ、Ｃｌ（５０〜９５重量％）と染料（０．０１〜０．１重量％）の混合物を高誘電率の結合剤（５〜５０重量％）中に分散させることにより発光材料を構成する。」（第２頁右上欄第１６行〜左下欄第１１行）ことが、図面とともに記載されている。
（対比・判断）
　本件請求項１に係る発明と上記刊行物１、２に記載された発明を対比すると、上記刊行物１、２に記載された発明には、本件請求項１に係る発明を特定する事項である「ポリビニルアルコールから成るバインダ」及び「ポリビニルアルコールから成るバインダに透明導電材料を分散させて調製したインク状の透明電極材料から成り前記発光層の上で前記電極と対向する第２の電極」を備えていない。
　そして、本件請求項１に係る発明は、上記の事項を備えることにより、「使用者が好みに応じて任意に発光色を設定することができ、また、前記発光層材料を前記使用者が好みに応じた形状に成膜するためのマスク部材を介して前記発光層材料を簡易印刷機で印刷して発光層を得ることにより、使用者が好みに応じた発光形状を得ることができる。更に、発光層材料の塗布や印刷を調節することにより、発光層の厚さを任意として表示に立体感を生じさせることが可能となる。」という明細書に記載の効果が得られるものである。
　したがって、本件請求項１に係る発明は、上記刊行物１、２に記載された発明に基づいて、当業者が容易に発明をすることができたものとすることはできない。
　本件請求項２に係る発明と上記刊行物１、２に記載された発明を対比すると、上記刊行物１、２に記載された発明には、本件請求項２に係る発明を特定する事項である「ポリビニルアルコールから成るバインダ」及び「発光層の上で前記電極と対向するようにポリビニルアルコールから成るバインダに透明導電材料を分散させて調製したインク状の透明電極材料を塗布や印刷等の手段により第２の電極を設ける工程」を備えていない。
　そして、本件請求項２に係る発明は、上記の事項を備えることにより、「使用者が好みに応じて任意に発光色を設定することができ、また、前記発光層材料を前記使用者が好みに応じた形状に成膜するためのマスク部材を介して前記発光層材料を簡易印刷機で印刷して発光層を得ることにより、使用者が好みに応じた発光形状を得ることができる。更に、発光層材料の塗布や印刷を調節することにより、発光層の厚さを任意として表示に立体感を生じさせることが可能となる。」という明細書に記載の効果が得られるものである。
　したがって、本件請求項２に係る発明は、上記刊行物１、２に記載された発明に基づいて、当業者が容易に発明をすることができたものとすることはできない。
　よって、本件請求項１、２に係る発明は、特許．出願の際独立して特許を受けることができるものである。
４．むすび
　以上のとおりであるから、上記訂正は、特許法第１２０条の４第２項及び同条第３項で準用する同法第１２６条第２〜４項の規定に適合するので、当該訂正を認める。
〔３〕特許異議申立てについての判断
１．申立の理由の概要
　申立人セイコープレシジョン株式会社は、本件請求項１、２に係る発明は、甲第１号証（上記刊行物１と同じ。）、甲第２号証（上記刊行物２と同じ。）に記載された発明に基づいて、当業者が容易に発明をすることができたものであり、特許法第２９条第２項の規定により特許を受けることができないものであるから、本件特許を取り消すべきと主張している。
２．甲号各証に記載された発明
　甲第１、２号証に記載された発明は、上記刊行物１、２と同じであるから、上記〔２〕３．（刊行物記載の発明）のとおりである。
３．対比・判断
　本件請求項１、２に係る発明と甲第１、２号証に記載の発明の対比・判断は、上記〔２〕３．（対比・判断）のとおりである。
　また、他に本件請求項１、２に係る発明の特許を取り消すべき理由を発見しない。
　よって、結論のとおり決定する。
【異議決定日】
平成１１年１０月２２日（１９９９．１０．２２）
【訂正の要旨】
（ア）特許請求の範囲の請求項１に記載される「バインダ」を「ポリビニルアルコールから成るバインダ」と訂正し、「発光層と、この発光層の上で」を「発光層と、ポリビニルアルコールから成るバインダに透明導電材料を分散させて調製したインク状の透明電極材料から成り前記発光層の上で」と訂正する。
（イ）特許請求の範囲の請求項２に記載される「バインダ」を「ポリビニルアルコールから成るバインダ」と訂正し、「第２の電極」を「ポリビニルアルコールから成るバインダに透明導電材料を分散させて調製したインク状の透明電極材料を塗布や印刷等の手段により第２の電極」と訂正する。
（ウ）発明の詳細な説明中の段落【０００５】の「バインダ」を「ポリビニルアルコールから成るバインダ」と訂正し、「発光層と、この発光層の上で」を「発光層と、ポリビニルアルコールから成るバインダに透明導電材料を分散させて調製したインク状の透明電極材料から成り前記発光層の上で」と訂正する。
（エ）発明の詳細な説明中の段落【０００６】の「バインダ」を「ポリビニルアルコールから成るバインダ」と訂正し、「第２の電極」を「ポリビニルアルコールから成るバインダに透明導電材料を分散させて調製したインク状の透明電極材料を塗布や印刷等の手段により第２の電極」と訂正する。
（オ）発明の詳細な説明中の段落【０００７】の「バインダ」を「ポリビニルアルコールから成るバインダ」と訂正する。
（カ）発明の詳細な説明中の段落【００１０】の「３はポリビニルアルコール（ＰＶＡ）等の高誘電率有機樹脂粉末から成るバインダ」を「３は高誘電率有機樹脂粉末としてポリビニルアルコール（ＰＶＡ）から成るバインダ」と訂正する。
（キ）発明の詳細な説明中の段落【００１３】の「ポリビニルアルコール（ＰＶＡ）等の高誘電率有機樹脂粉末から成るバインダ」を「高誘電率有機樹脂粉末としてポリビニルアルコール（ＰＶＡ）から成るバインダ」と訂正する。
（ク）発明の詳細な説明中の段落【００２５】の「バインダ」を「ポリビニルアルコールから成るバインダ」と訂正し、「発光層と、この発光層の上で」を「発光層と、ポリビニルアルコールから成るバインダに透明導電材料を分散させて調製したインク状の透明電極材料から成り前記発光層の上で」と訂正し、「第２の電極を設ける工程」を「ポリビニルアルコールから成るバインダに透明導電材料を分散させて調製したインク状の透明電極材料を塗布や印刷等の手段により第２の電極を設ける工程」と訂正する。
（５４）【発明の名称】
分散型電界発光素子及びその製造方法
（５７）【特許請求の範囲】
　【請求項１】　第１の電極と、
ポリビニルアルコールから成る
ポリビニルアルコールから成るバインダに透明導電材料を分散させて調製したインク状の透明電極材料から成り前記
　【請求項２】　
ポリビニルアルコールから成る
ポリビニルアルコールから成るバインダに透明導電材料を分散させて調製したインク状の透明電極材料を塗布や印刷等の手段により
【発明の詳細な説明】
　【０００１】
　【産業上の利用分野】
　本発明は、分散型電界発光素子に関し、特に使用者が好みに応じて任意に発光色や形状を設定することのできる分散型電界発光素子及びその製造方法に関するものである。
　【０００２】
　【従来の技術】
　蛍光層を一対の電極で挟んだ分散型電界発光素子は、薄型軽量で均一的な発光輝度が得られることから、近年液晶素子等の受光型表示素子の照明部材あるいは発光表示部材として用いられており、かかる分散型電界発光素子の従来技術としては、例えば特開平５−１０１８９３号公報がある。
　【０００３】
　【発明が解決しようとする課題】
　しかしながら、これまで分散型電界発光素子を使用者が好みに応じて任意に発光色や形状を設定することはできず、すなわち使用者が目的に合う分散型電界発光素子を探して使うのが一般的であって、必ずしも満足のいくものを得られないという問題があった。
　【０００４】
　また、分散型電界発光素子を発光表示部材として用いる場合、その特徴である均一的な発光輝度は、裏を返せば立体感を生じさせることが難しく平面的な表示に成らざるを得ないということであり、面白みに欠けて視覚に訴える迫力に乏しいという問題があった。
　【０００５】
　【課題を解決するための手段】
　本発明は、前記課題を解決するため、第１の電極と、
ポリビニルアルコールから成る
ポリビニルアルコールから成るバインダに透明導電材料を分散させて調製したインク状の透明電極材料から成り前記
　【０００６】
　また、前記分散型電界発光素子の製造方法として、
ポリビニルアルコールから成る
ポリビニルアルコールから成るバインダに透明導電材料を分散させて調製したインク状の透明電極材料を塗布や印刷等の手段により
　【０００７】
　【作用】
　
ポリビニルアルコールから成る
　【０００８】
　更に、発光層材料の印刷を調節することにより、発光層の厚さを任意として表示に立体感等の変化を生じさせることが可能となる。
　【０００９】
　【実施例】
　以下、本発明を添付図面に記載した実施例に基づいて説明する。
　【００１０】
　図１は、実施例の要部断面図であり、１はアルミ箔や銅箔等の導電性平板部材から成る背面（第１の）電極１ａの片面にチタン酸バリウム等の絶縁材料を厚さ３０〜４０ミクロンに印刷乾燥させて成る絶縁層１ｂを形成した背面電極シート、２は絶縁層１ｂの上（間接的に背面電極１ａの上）に後述する発光層材料Ｘを後述する方法により形成した発光層、３は
高誘電率有機樹脂粉末としてポリビニルアルコール（ＰＶＡ）から成る
　【００１１】
　次に、発光層２の製造方法について説明する。
　【００１２】
　使用者は、発光層２の発光形状を決める原図（原稿）Ａを作成し（図２（ａ））、これを基にして後述する発光層材料Ｘを前記形状に成膜するためのマスク部材（版）Ｂを製作（製版）する（図２（ｂ））。このマスク部材Ｂは、直径５０ミクロン望ましくは７０〜８０ミクロンのメッシュを有する網状平板で、原図Ａとして作成した前記発光形状の個所のみ後述する発光層材料Ｘを透過させるようになっている。
　【００１３】
　次に、使用者は、
高誘電率有機樹脂粉末としてポリビニルアルコール（ＰＶＡ）から成る
　【００１４】
　次に、背面電極シート１の絶縁層１ｂの上に、発光層材料Ｘをマスク部材Ｂを介して家庭用簡易印刷機（理想化学工業製，商品名「プリントゴッコ」）Ｃで印刷により所定形状に厚さ３０〜４０ミクロンに成膜乾燥させて（１２０℃，１５分）発光層２を得る（図２（ｄ））。
　【００１５】
　この後、バスバー４，電極リード５，保護部材６を設けることにより、分散型電界発夫素子ＥＬ（図１）が完成する。
　【００１６】
　使用者は、例えば商用電圧（１００Ｖ，５０／６０Ｈｚ）を前記駆動回路として電極リード５へ印加することにより、分散型電界発光素子ＥＬを発光層２に応じた、すなわち使用者の好みに応じた発光色及び発光形状にて発光させることができる。
　【００１７】
　また、前記発光の発光輝度は、発光層２の厚さに応じて変化するため、発光層材料Ｘの印刷を調節することにより、発光層２の厚さを任意として表示に明暗を持たせ、すなわち立体感を生じさせることが可能となる。
　【００１８】
　なお、発光層材料Ｘの誘電率が十分大きい場合には、透明電極シート１の絶縁層１ｂを省くことができる。また、透明電極３としては、バインダーと透明導電材料とから透明電極材料を調製する他、ＩＴＯをＰＥＴフィルム上に蒸着した透明電極フィルムを用いることもできる。
　【００１９】
　また、バスバー４は、カーボンペーストや銀ペースト等の導電性ペーストでも良い。なお、透明電極３の電気特性が良好な（表面抵抗が小さい）場合には、バスバー４を省略することができる。
　【００２０】
　また、電極リード５のうち、背面電極１ａと接続されるものは、予め背面電極１ａと一体に形成しておくことも可能である。
　【００２１】
　また、発光層２を得る際、バインダに蛍光体と必要に応じて分散させる染料あるいは顔料を選ぶことにより発光層２の発光色は任意に選定することができるため、異なる色の染料あるいは顔料を選んで複数種の発光層材料Ｘを調製し、これを区分けあるいは重ねて印刷し所定形状に成膜乾燥させて発光層２を得ることにより、複数種の発光色を有する発光層２を得ることができる。
　【００２２】
　また、保護部材６は、ベースフィルム６ａの片面に接着剤６ｂを予め用意したフィルム状の他、ニス等の透光性絶縁性樹脂材料を塗布や印刷等の手段により設けるものであっても良い。
　【００２３】
　図３は、本発明の他の実施例を説明するものであって、２つのマスク部材Ｂ１，Ｂ２及び，これらに応じた発光層材料Ｘ１，Ｘ２を用意し、マスク部材Ｂ１を介して発光層材料Ｘ１を刷り（図３（ａ））、その上にマスク部材Ｂ２を介して発光層材料Ｘ２を刷り（図３（ｂ））、発光層２１，２２を重ね印刷している。なお、前記マスク部材Ｂ（図２）を増やすことにより、更に多くの多色印刷も可能である。
　【００２４】
　この実施例によれば、マスク部材Ｂ１，Ｂ２に応じた発光形状（前者は斜め網目状形状、後者は「ＮＳ」をデザイン化した形状）で、発光層材料Ｘ１，Ｘ２に応じた発光色の発光を得ることができる。なお、発光層材料Ｘ１，Ｘ２の何れか一方が蛍光体を含まない単なる着色インクであっても、少なくとも他方が蛍光体を含むことにより、本発明の電界発光素子ＥＬ（図１）となるものである。
　【００２５】
　【発明の効果】
　本発明は、第１の電極と、
ポリビニルアルコールから成る
ポリビニルアルコールから成るバインダに透明導電材料を分散させて調製したインク状の透明電極材料から成り前記
ポリビニルアルコールから成る
ポリビニルアルコールから成るバインダに透明導電材料を分散させて調製したインク状の透明電極材料を塗布や印刷等の手段により
　【００２６】
　更に、発光層材料の塗布や印刷を調節することにより、発光層の厚さを任意として表示に立体感を生じさせることが可能となる。
　【００２７】
　また、家庭に多く普及している簡易印刷機を用いることにより、簡単に好きな分散型電界発光素子を製造することができ、例えば光る年賀状や案内ビラ等のこれまでにない斬新な印刷物として利用することができる。
【図面の簡単な説明】
　【図１】
本発明の実施例の要部断面図。
　【図２】
同上実施例の製造方法を示す説明図。
　【図３】
本発明の他の実施例の製造方法を示す説明図。
　【符号の説明】
１ａ　背面電極（第１の電極）
２　発光層
３　透明電極（第２の電極）
Ａ　原図
Ｂ　マスク部材
Ｃ　簡易印刷機
Ｘ　発光層材料